(57)【特許請求の範囲】
【請求項１】
面状発光部と、
前記面状発光部を収容するとともに、前記面状発光部の発光面に対して対面するとともに前記発光面からの光を透光可能な透光板と、前記面状発光部の背面に対して対面するとともに点灯回路を支持する支持板とを備える器具本体とを有し、
前記透光板が、
当該透光板の厚み方向に沿うとともに前記面状発光部の一端面と対面する第１壁部と、  前記第１壁部に支持されて前記一端面に設けられた第１端子に接続可能な第１接続部とを備え、
前記支持板が、
当該支持板に支持され、前記第１接続部に接続線を介して接続された前記点灯回路と、
当該支持板の厚み方向に沿うとともに前記面状発光部における前記一端面と別の他端面に対面する第２壁部と、
前記第２壁部に支持されて前記他端面に設けられた第２端子に接続可能、かつ、前記点灯回路に接続された第２接続部とを備え、
前記面状発光部における前記一端面および前記他端面のうちの一方を前記透光板および前記支持板のうちの一方における面方向に沿って前記第１壁部および前記第２壁部のうちの一方に向かって接近させることにより、
前記第１端子および前記第２端子のうちの一方を前記第１接続部および前記第２接続部のうちの一方に接続させた後、
前記透光板に対して前記支持板を垂直に嵌合させ、
前記面状発光部における前記一端面および前記他端面のうちの他方に対して前記第１壁部および前記第２壁部のうちの他方を接近させることにより、
前記透光板および前記支持板のうちの他方における面方向に沿って前記第１端子および前記第２端子のうちの他方を前記第１接続部および前記第２接続部のうちの他方に接続させることを特徴とする照明器具。
【請求項２】
前記第２接続部に印加される電位が、前記第１接続部に印加される電位よりも小さいことを特徴とする請求項１に記載の照明器具。
【請求項３】
前記面状発光部が、同一平面に沿って配列された複数の面状発光モジュールを有していることを特徴とする請求項１に記載の照明器具。
【発明の詳細な説明】
【技術分野】
【０００１】
本発明は、有機ＥＬ（エレクトロルミネッセンス）素子を用いてＥＬパネル構造体を形成した照明器具に関するものである。
【背景技術】
【０００２】
従来のより、照明器具として、光源に面状ＥＬ素子を用いたＥＬパネル構造体が知られている（例えば特許文献１参照）。
図１４に示すように、この特許文献１に記載の照明器具１００では、ＥＬパネル本体１０１を支持ケース１１１に挿入して使用するものである。ＥＬパネル本体１０１から引き出された一対のリード１０２、１０３は、ＥＬパネル本体１０１の裏面（非発光面）１０１ａ側に曲折、配置され、裏面側に曲折された各リード１０２、１０３上には、金属箔等の電極板１０４、１０５が設けられている。
一方、支持ケース１１１は、少なくともＥＬパネル本体１０１の発光面側である表面１０１ｂがアクリル板のような透明板材１１６で構成されている。支持ケース１１１の収納部１１１ａ内の上記一対のリード１０２、１０３と対応する位置には、ＥＬパネル本体１０１の駆動用電極１１２、１１３が設けられており、ＥＬパネル本体１０１を支持ケース１１１に収納することにより、ＥＬパネル本体１０１が点灯するように構成されている。
【特許文献１】特開平６−２２３９７２号公報
【発明の開示】
【発明が解決しようとする課題】
【０００３】
しかしながら、前述した特許文献１に記載の照明器具１００においては、支持ケース１１１にＥＬパネル本体１０１を挿入する際に、挿入不良が生じた場合には点灯せず、原因が接触不良なのか、回路不良なのか判別が困難であるという問題があった。
【０００４】
本発明は、従来の問題を解決するためになされたもので、組立時における接触不良が生じ難く、かつ、不良が生じた場合には不良箇所を特定しやすい照明器具を提供することを目的とする。
【課題を解決するための手段】
【０００５】
本発明の照明器具は、面状発光部と、前記面状発光部を収容するとともに、前記面状発光部の発光面に対して対面するとともに前記発光面からの光を透光可能な透光板と、前記面状発光部の背面に対して対面するとともに点灯回路を支持する支持板とを備える器具本体とを有し、前記透光板が、当該透光板の厚み方向に沿うとともに前記面状発光部の一端面と対面する第１壁部と、前記第１壁部に支持されて前記一端面に設けられた第１端子に接続可能な第１接続部とを備え、前記支持板が、当該支持板に支持され、前記第１接続部に接続線を介して接続された前記点灯回路と、当該支持板の厚み方向に沿うとともに前記面状発光部における前記一端面と別の他端面に対面する第２壁部と、前記第２壁部に支持されて前記他端面に設けられた第２端子に接続可能、かつ、前記点灯回路に接続された第２接続部とを備え、前記面状発光部における前記一端面および前記他端面のうちの一方を前記透光板および前記支持板のうちの一方における面方向に沿って前記第１壁部および前記第２壁部のうちの一方に向かって接近させることにより、前記第１端子および前記第２端子のうちの一方を前記第１接続部および前記第２接続部のうちの一方に接続させた後、前記透光板に対して前記支持板を垂直に嵌合させ、前記面状発光部における前記一端面および前記他端面のうちの他方に対して前記第１壁部および前記第２壁部のうちの他方を接近させることにより、前記透光板および前記支持板のうちの他方における面方向に沿って前記第１端子および前記第２端子のうちの他方を前記第１接続部および前記第２接続部のうちの他方に接続させる構成を有している。
【０００６】
この構成により、面状発光部の第１端子または第２端子の一方を、透光板の第１接続部および支持板の第２接続部のうちの一方に接続させた後に、面状発光部の第１端子または第２端子の他方を、透光板の第１接続部および支持板の第２接続部のうちの他方に接続させるので、順に確実に接続することができ、組立時における接触不良を生じ難くすることができる。
【０００７】
また、本発明の照明器具は、前記第２接続部に印加される電位が、前記第１接続部に印加される電位よりも小さい構成を有している。
【０００８】
この構成により、面状発光部を透光板に取り付ける際に、指に触れる可能性が高い第２端子の電位が低圧なので、感電し難くなる。
【０００９】
さらに、本発明の照明器具は、前記面状発光部が、同一平面に沿って配列された複数の面状発光モジュールを有する構成を有している。
【００１０】
この構成により、面状発光部を複数の面状発光モジュールにより構成するので、面状発光部を容易に大面積化することができる。
【発明の効果】
【００１１】
本発明は、面状発光部の第１端子または第２端子の一方を、透光板の第１接続部および支持板の第２接続部のうちの一方に接続させた後に、面状発光部の第１端子または第２端子の他方を、透光板の第１接続部および支持板の第２接続部のうちの他方に接続させるので、順に確実に接続することができ、組立時における接触不良を生じ難くすることができるという効果を有する照明器具を提供することができるものである。
【発明を実施するための最良の形態】
【００１２】
以下、本発明の実施の形態の照明器具について、図面を用いて説明する。
図１は本発明の第１の実施の形態にかかる照明器具の分解斜視図、図２は照明器具の断面図、図３は面状発光部を上方から見た斜視図、図４は面状発光部を下方から見た分解斜視図、図５（Ａ）〜（Ｅ）は組み立て手順を示す工程図、図６は図５（Ｂ）の工程を示す斜視図、図７は図５（Ｃ）の工程を示す斜視図、図８は図５（Ｄ）の工程を示す斜視図、図９は図５（Ｅ）の工程を示す斜視図である。
【００１３】
図１および図２に示すように、本発明の第１実施形態にかかる照明器具１０は、有機ＥＬ発光素子を有する面状発光部２０と、この面状発光部２０を収容する器具本体１１を有している。器具本体１１は、面状発光部２０の発光面２０ａに対して対面するとともに発光面２０ａからの光を透光可能な透光板３０と、面状発光部２０の背面２０ｂに対して対面するとともに面状発光部２０を点灯させるための点灯回路４２を支持する支持板４０とを有している。
【００１４】
図３および図４に示すように、面状発光部２０は、例えば矩形薄板状の平面発光パネル２６と、この平面発光パネル２６の外周縁に沿った矩形状の枠体２７を有しており、平面発光パネル２６を枠体２７の上面に接着して取付けている。平面発光パネル２６の内面（背面２０ｂ）側外周縁内側には、全周にわたって矩形状の電極２６ａが貼り付けられている。面状発光部２０の一端面２１である枠体２７の挿入方向前部（図４において右端部）２７ａの内面には、第１端子である一対の雄端子２２が設けられており、平面発光パネル２６の電極２６ａと例えばリード線（図示省略）により接続されている。
【００１５】
また、面状発光部２０の他端面２３である枠体２７の挿入方向後部（図４において左端部）２７ｂの内面には、第２端子である一対の雌端子２４が設けられており、平面発光パネル２６の電極２６ａと例えばリード線（図示省略）により接続されている。各端子２２、２４は、それぞれ端子カバー２９によって保護されている。
【００１６】
また、枠体２６における前部２７ａには位置決め用の貫通穴２８ａ（図３参照）が設けられており、この貫通穴２８ａの内部に雄端子２２が設けられている。また、枠体２６における後部２７ｂには筒状の位置決め突部２８ｂが設けられており、この位置決め突起２８ｂの内部に雌端子２４が設けられている。なお、枠体２７の側面２５には、挿入時に面状発光部２０をガイドするガイド部２５ａが設けられている。
【００１７】
図１および図２に示すように、透光板３０は、この透光板３０の厚み方向（図１中上下方向）に沿うとともに面状発光部２０の一端面である挿入方向前部２１と対面する第１壁部３１を有しており、この第１壁部３１には面状発光部２０の前部２１に設けられた雄端子２２に接続可能な第１接続部３２が設けられている。従って、第１接続部３２は、面状発光部２０の枠体２７に設けられている位置決め貫通穴２８ａを介して雄端子２２と接続されることになる。また、透光板３０の左右両端には側壁３３，３３が下方へ設けられており、側壁３３の内面には面状発光部２０を挿入する際に、枠体２７の側面に設けられているガイド部２５ａをガイドするガイド部（図示省略）が設けられている。これにより、面状部材２０を透光板３０に取付ける際に、スライド可能かつ脱落を防止している。
【００１８】
図１および図２に示すように、支持板４０の内面４０ａには、透光板３０の第１接続部３２に接続線４１を介して接続された点灯回路４２が取付けられている。また、支持板４０は、支持板４０の厚み方向（図１中上下方向）に沿うとともに面状発光部２０における一端面２１と別（ここでは反対側）の他端面である挿入方向後部２３に対面する第２壁部４３を有している。この第２壁部４３には、面状発光部２０の挿入方向後部２３に設けられた第２端子である雌端子２４に接続可能、かつ、点灯回路４２に接続線４４により接続された第２接続部４５が設けられている。
【００１９】
従って、第２接続部４５は、面状発光部２０の枠体２７に設けられている位置決め凸部２８ｂの内部空間を介して雌端子２４と接続されることになる。なお、点灯回路４２と第２接続部４５を接続する接続線４４には、途中スイッチ４６（図７参照）が設けられており、オン・オフが可能となっている。
【００２０】
なお、点灯回路４２から第２接続部４５に印加される電位は、点灯回路４２から第１接続部３２に印加される電位よりも小さくするのが望ましい。これにより、指に触れる可能性が高い第２接続部４５の電位が低圧なので、面状発光部２０を透光板３０に取り付ける際に、感電し難くなる。
【００２１】
次に、図１および図５〜図９を参照して、組立工程について説明する。
なお、ここでは、面状発光部２０をまず透光板３０に取付け、その後に支持板４０を取付けることにより、面状発光部２０を器具本体１１の内部に収容する工程について説明する。
【００２２】
まず、図５（Ａ）および図１に示すように、面状発光部２０、透光板３０、支持板４０を準備し、支持板４０の点灯回路４２を接続線４１で透光板３０の第１接続部３２と接続しておく。そして、図５（Ｂ）および図６に示すように、面状発光部２０を透光板３０の面方向に沿って挿入し、面状発光部２０の一端面である挿入方向前部２１を第１壁部３１に向かって接近させることにより、面状発光部２０の第１端子である雄端子２２を透光板３０の第１接続部３２に接続させる。このとき、面状発光部２０の側面２５に設けられているガイド部２５ａを、透光板３０の側壁３３内面に設けられているガイド部（図示省略）に沿ってスライドさせて挿入する。そして、面状発光部２０の枠体２７に設けられている位置決め貫通穴２８に、透光板３０の第１壁部３１に設けられている位置決め部（図示省略）を嵌合させて位置決めする。
【００２３】
その後、図５（Ｃ）および図７に示すように、面状発光部２０が取付けられた透光板３０に対して支持板４０を垂直に嵌合させる。このとき、スイッチ４６はオフとしておく。そして、図５（Ｄ）および図８に示すように支持板４０をスライドさせて面状発光部２０の第２端子である雌端子２４を支持板４０の第２接続部４５と接合させる。このとき、面状発光部２０の枠体２７に設けられている位置決め凸部２８ｂを透光板３０の第２接続部４５に設けられている位置決め部（図示省略）に嵌合させて位置決めする。
その後、図５（Ｅ）および図９に示すように、ネジ４７ａ、４７ｂを締め付けて照明器具１０を組み立て、スイッチ４６をオンとして完了する。
【００２４】
このような本発明の第１の実施の形態の照明器具１０によれば、面状発光部２０の一方の端子である雄端子２２を、透光板３０の一方の接続部である第１接続部３２に接続させた後に、面状発光部２０の他方の端子である雌端子２４を、他方の接続部である支持板４０の第２接続部４５に接続させるので、順に確実に接続することができ、組立時における接触不良を生じ難くすることができる。
【００２５】
次に、本発明の第２の実施の形態にかかる照明器具を図に基づいて説明する。
図１０は本発明の第２実施形態にかかる照明器具の断面図、図１１は面状発光部の斜視図である。なお、前述した第１実施形態にかかる照明器具１０と共通する部位には同じ符号を付して、重複する説明を省略することとする。
【００２６】
図１０および図１１に示すように、この照明器具１０Ｂでは、面状発光部２０が、同一平面に沿って配列された複数の面状発光モジュール２０Ａ，２０Ｂ，２０Ｃを有している。各面状発光モジュール２０Ａ，２０Ｂ，２０Ｃは、一方の枠体２７に設けられている位置決め凸部２８ｂを隣接する面状発光モジュール２０Ａ，２０Ｂ，２０Ｃの枠体２７に設けられている位置決め貫通穴２８ａに挿嵌することにより、位置決めして接続するとともに、雄端子２２と雌端子２４を接続して、電気的にも接続している。
【００２７】
このように、面状発光部２０を複数の面状発光モジュール２０Ａ，２０Ｂ，２０ｃにより構成するので、面状発光部２０を容易に大面積化することができる。
【００２８】
次に、本発明の第３の実施の形態にかかる照明器具を図に基づいて説明する。
図１２は本発明の第３実施形態にかかる照明器具の分解斜視図である。なお、前述した第１実施形態および第２実施形態にかかる照明器具１０、１０Ｂと共通する部位には同じ符号を付して、重複する説明を省略することとする。
【００２９】
図１２に示すように、この照明器具１０Ｃでは、面状発光部２０を透光板３０に嵌める方向と、支持板４０を嵌める方向とが、直交している。すなわち、面状発光部２０においては、一端面である挿入方向前部２１に第１端子である雄端子２２を設け、他端面としての側面２７ｃに第２端子である雌端子２４を設ける。一方、透光板３０では、第１壁部３１に第１接続部３２を設けるとともに、一方の側壁３３のみ設ける。また、支持板４０では、第２接続部４５を有する第２壁部として側壁４８が設けられている。
【００３０】
従って、面状発光部２０を矢印Ａの方向へスライドさせて透光板３０に取付けるとともに、雄端子２２を透光板３０の第１接続部３２に接続する。その後、支持板４０を矢印Ｂの方向へスライドさせて、雌端子２４を支持板４０の第２接続部４５に接続する。
【００３１】
なお、本発明の照明器具は、前述した各実施形態に限定されるものでなく、適宜な変形，改良等が可能である。
例えば、前述した各実施形態においては、平面発光パネル２６を枠体２７の上面に接着する場合を示したが、図１３に示すように、平面発光パネル２６を枠体２７の高さ方向途中位置に取付けるようにしてもよい。このようにすることにより、平面発光パネル２６を上下から挟持することになり、接着だけの場合よりも確実に固定することができる。また、図１３（Ｃ）に示すように、面状発光部２０を透光板３０に挿入した際につき当たる第１壁部３１に前面パネル３４を設け、枠体２７の突出する部分２７ｄに対応した凹部３４ａを設けることにより、確実に位置決めを行うことができる。なお、枠体２７の途中位置に平面発光パネル２６を設けるので、枠体２７が上方へ突出しても全高は同じである。
【産業上の利用可能性】
【００３２】
以上のように、本発明にかかる照明器具は、面状発光部の第１端子または第２端子の一方を、透光板の第１接続部および支持板の第２接続部のうちの一方に接続させた後に、面状発光部の第１端子または第２端子の他方を、透光板の第１接続部および支持板の第２接続部のうちの他方に接続させるので、順に確実に接続することができ、組立時における接触不良を生じ難くすることができるという効果を有し、有機ＥＬ素子を用いてＥＬパネル構造体を形成した照明器具等として有用である。
【図面の簡単な説明】
【００３３】
【図１】本発明の第１の実施の形態にかかる照明器具の分解斜視図
【図２】照明器具の断面図
【図３】面状発光部を上方から見た斜視図
【図４】面状発光部を下方から見た分解斜視図
【図５】（Ａ）〜（Ｅ）は組み立て手順を示す工程図
【図６】図５（Ｂ）の工程を示す斜視図
【図７】図５（Ｃ）の工程を示す斜視図
【図８】図５（Ｄ）の工程を示す斜視図
【図９】図５（Ｅ）の工程を示す斜視図
【図１０】本発明の第２の実施の形態にかかる照明器具の断面図
【図１１】平面発光部の斜視図
【図１２】本発明の第３の実施の形態にかかる照明器具の概略斜視図
【図１３】（Ａ）は平面発光部の変形例を示す平面図、（Ｂ）は（Ａ）中Ｂ−Ｂ位置の断面図、（Ｃ）は前面パネルの正面図
【図１４】従来の照明器具を示す分解斜視図
【符号の説明】
【００３４】
１０、１０Ｂ、１０Ｃ  照明器具
１１  器具本体
２０  面状発光部
２０Ａ，２０Ｂ，２０Ｃ  面状発光モジュール
２０ａ  発光面
２０ｂ  背面
２１  挿入方向前部（一端面）
２２  雄端子（第１端子）
２３  挿入方向後部（他端面）
２４  雌端子（第２端子）
３０  透光板
３１  第１壁部
３２  第１接続部
４０  支持板
４１  接続線
４２  点灯回路
４３  第２壁部
【図１】
0005020053.tif 000002
【図２】
0005020053.tif 000003
【図３】
0005020053.tif 000004
【図４】
0005020053.tif 000005
【図５】
0005020053.tif 000006
【図６】
0005020053.tif 000007
【図７】
0005020053.tif 000008
【図８】
0005020053.tif 000009
【図９】
0005020053.tif 000010
【図１０】
0005020053.tif 000011
【図１１】
0005020053.tif 000012
【図１２】
0005020053.tif 000013
【図１３】
0005020053.tif 000014
【図１４】
0005020053.tif 000015